(57)【要約】  【課題】スタンド体をホルダー体に容易に取り付けることができるスタンド装置を提供する。  【解決手段】スタンド装置３は、ホルダー側孔部およびホルダー側係合凹部25を有するホルダー体21を備える。スタンド装置３は、ホルダー体21に対して着脱可能なスタンド体31を備え、このスタンド体31はスタンド側孔部およびスタンド側係合ピン部37を有する。スタンド体31をホルダー体21に取り付ける際には、ホルダー側係合凹部25とスタンド側係合ピン部37との係合によりホルダー側孔部とスタンド側孔部とを互いに一致させた後、挿入ピン41を挿入する。  【選択図】図１
2005176658.tif 000002
【特許請求の範囲】
【請求項１】
農作業機本体の不使用時にこの農作業機本体を支持するスタンド装置であって、
前記農作業機本体に取り付けられ、ホルダー側孔部およびホルダー側係合部を有するホルダー体と、
スタンド側孔部およびスタンド側係合部を有し、前記ホルダー体に対して着脱可能なスタンド体と、
互いに一致した前記ホルダー側孔部およびスタンド側孔部に挿入される挿入体とを備え、
前記スタンド体を前記ホルダー体に取り付ける際には、前記ホルダー側係合部と前記スタンド側係合部との係合により前記ホルダー側孔部と前記スタンド側孔部とを互いに一致させた後、この互いに一致した前記ホルダー側孔部およびスタンド側孔部に前記挿入体を挿入する
ことを特徴とするスタンド装置。
【請求項２】
農作業機本体の不使用時にこの農作業機本体を支持するスタンド装置であって、
前記農作業機本体に取り付けられ、ホルダー側孔部、ホルダー側係合部およびホルダー側当接部を有するホルダー体と、
スタンド側孔部、スタンド側係合部およびスタンド側当接部を有し、前記ホルダー体に対して着脱可能なスタンド体と、
互いに一致した前記ホルダー側孔部およびスタンド側孔部に挿入される挿入体とを備え、
前記スタンド体を前記ホルダー体に取り付ける場合、前記ホルダー側係合部と前記スタンド側係合部とを互いに係合させると、前記スタンド体がその自重で前記スタンド側係合部を中心として所定方向に回動し、この回動により前記スタンド側当接部が前記ホルダー側当接部と当接するとともに前記スタンド側孔部が前記ホルダー側孔部と一致し、その後この互いに一致した前記ホルダー側孔部およびスタンド側孔部に前記挿入体を挿入する
ことを特徴とするスタンド装置。
【発明の詳細な説明】
【技術分野】
【０００１】
本発明は、農作業機本体の不使用時にこの農作業機本体を支持するスタンド装置に関するものである。
【背景技術】
【０００２】
従来、例えばホルダー側孔部が形成された円筒状のホルダー体と、上下方向に並んだ複数のスタンド側孔部が立上り杆部に形成された着脱可能なスタンド体と、互いに一致したホルダー側孔部および選択された一のスタンド側孔部に挿脱可能に挿入されるピンとを備えたスタンド装置が知られている（例えば、特許文献１参照）。
【特許文献１】実開昭６４−２６９０４号公報
【発明の開示】
【発明が解決しようとする課題】
【０００３】
しかしながら、上記従来のスタンド装置では、スタンド体をホルダー体に取り付ける場合において、ホルダー側孔部とスタンド側孔部とを互いに一致させる孔合わせに手間取るおそれがある。
【０００４】
本発明は、このような点に鑑みなされたもので、ホルダー側孔部とスタンド側孔部とを互いに一致させる孔合わせに手間取ることがなく、スタンド体をホルダー体に容易に取り付けることができるスタンド装置を提供することを目的とする。
【課題を解決するための手段】
【０００５】
請求項１記載のスタンド装置は、農作業機本体の不使用時にこの農作業機本体を支持するスタンド装置であって、前記農作業機本体に取り付けられ、ホルダー側孔部およびホルダー側係合部を有するホルダー体と、スタンド側孔部およびスタンド側係合部を有し、前記ホルダー体に対して着脱可能なスタンド体と、互いに一致した前記ホルダー側孔部およびスタンド側孔部に挿入される挿入体とを備え、前記スタンド体を前記ホルダー体に取り付ける際には、前記ホルダー側係合部と前記スタンド側係合部との係合により前記ホルダー側孔部と前記スタンド側孔部とを互いに一致させた後、この互いに一致した前記ホルダー側孔部およびスタンド側孔部に前記挿入体を挿入するものである。
【０００６】
そして、ホルダー側孔部とスタンド側孔部とを互いに一致させる孔合わせに手間取ることがなく、スタンド体をホルダー体に容易に取り付けることが可能である。
【０００７】
請求項２記載のスタンド装置は、農作業機本体の不使用時にこの農作業機本体を支持するスタンド装置であって、前記農作業機本体に取り付けられ、ホルダー側孔部、ホルダー側係合部およびホルダー側当接部を有するホルダー体と、スタンド側孔部、スタンド側係合部およびスタンド側当接部を有し、前記ホルダー体に対して着脱可能なスタンド体と、互いに一致した前記ホルダー側孔部およびスタンド側孔部に挿入される挿入体とを備え、前記スタンド体を前記ホルダー体に取り付ける場合、前記ホルダー側係合部と前記スタンド側係合部とを互いに係合させると、前記スタンド体がその自重で前記スタンド側係合部を中心として所定方向に回動し、この回動により前記スタンド側当接部が前記ホルダー側当接部と当接するとともに前記スタンド側孔部が前記ホルダー側孔部と一致し、その後この互いに一致した前記ホルダー側孔部およびスタンド側孔部に前記挿入体を挿入するものである。
【０００８】
そして、ホルダー側孔部とスタンド側孔部とを互いに一致させる孔合わせに手間取ることがなく、スタンド体をホルダー体に容易かつ適切に取り付けることが可能である。
【発明の効果】
【０００９】
請求項１記載のスタンド装置によれば、ホルダー側孔部とスタンド側孔部とを互いに一致させる孔合わせに手間取ることがなく、スタンド体をホルダー体に容易に取り付けることができる。
【００１０】
請求項２記載のスタンド装置によれば、ホルダー側孔部とスタンド側孔部とを互いに一致させる孔合わせに手間取ることがなく、スタンド体をホルダー体に容易かつ適切に取り付けることができる。
【発明を実施するための最良の形態】
【００１１】
本発明のスタンド装置の一実施の形態を図面を参照して説明する。
【００１２】
図１において、１はスタンド付農作業機で、このスタンド付農作業機１は、例えば走行車であるトラクタ（図示せず）に連結して使用する農作業機本体２と、この農作業機本体２の不使用時にこの農作業機本体２を支持するスタンド装置３とにて構成されている。
【００１３】
農作業機本体２は、例えばトラクタに連結された状態でトラクタの走行により移動しながら畦塗り作業をするものであり、この農作業機本体２は、図示しないトラクタの後部の昇降可能な３点リンク部（作業機昇降支持装置）に連結された機枠５を備えている。
【００１４】
そして、機枠５は、前部に走行車連結部であるトラクタ連結部６を有し、このトラクタ連結部６がトラクタの後部の３点リンク部に連結されている。なお、機枠５のトラクタ連結部６は、トップピン７を先端部に有するトップマスト８と、ロワピン９を先端部に有する左右一対のロワアーム10とにて構成されている。また、機枠５は、前側中央部に入力軸保持部11を有し、この入力軸保持部11に入力軸12が回転可能に設けられ、この入力軸12はトラクタの図示しないＰＴＯ軸にユニバーサルジョイント等を介して連結されている。
【００１５】
また、機枠５には、入力軸12側からの動力で回転して畦に土を盛り上げる盛土手段である盛土ロータリ13およびこの盛土ロータリ13の後方位置で入力軸12側からの動力で回転して土を締め固める畦形成手段である畦塗りディスク14がそれぞれ回転可能に設けられている。なお、盛土ロータリ13の上方部は土飛散防止用の第１カバー15にて覆われ、畦塗りディスク14の上方部は土飛散防止用の第２カバー16にて覆われている。さらに、機枠５には接地輪18が設けられ、この接地輪18はハンドル19の回動操作により上下位置調節可能となっている。
【００１６】
また一方、機枠５の前部の左右両側には、スタンド装置３の左右一対のホルダー体21が取り付けられている。
【００１７】
ホルダー体21は、図２および図３に示すように、前面および上下面が開口面となっている断面略コ字状で上下方向にやや長手状のものであり、このホルダー体21は、互いに離間対向した左右一対の側板部22を有し、これら左右一対の側板部22の後端相互が後板部23にて一体に連結されている。なお、後板部23の前面部にて、ホルダー側当接部であるホルダー側当接面部24が構成されている。
【００１８】
また、側板部22の前端の上下方向略中央部には、上方に向って凹状のホルダー側係合部であるホルダー側係合凹部25が設けられている。さらに、側板部22の上端近傍には、左右方向に貫通した円形のホルダー側孔部26が形成されている。
【００１９】
一方、ホルダー体21に対して着脱可能な左右一対のスタンド体31は、図４ないし図７に示すように、前後方向に長手状のスタンド基部32を有し、このスタンド基部32の前後端部にはキャスタ33が装着されている。
【００２０】
また、スタンド基部32の前端近傍からは、ホルダー体21の内側に嵌合する形状である例えば略四角筒状の立上り杆部34が前上方に向って傾斜状に突出している。
【００２１】
そして、立上り杆部34の上端側の後面部にて、ホルダー側当接面部24と面状に当接するスタンド側当接部であるスタンド側当接面部36が構成されている。
【００２２】
また、立上り杆部34の上側前面部には、ホルダー側係合凹部25と係脱自在に係合するスタンド側係合部であるスタンド側係合ピン部37が突出状に設けられている。このスタンド側係合ピン部37は、例えば左右方向に軸方向を有する１本の断面円形のピン38にて構成され、その軸方向両端部が立上り杆部34の側面より側方に突出している。
【００２３】
さらに、立上り杆部34の上端近傍には、左右方向に貫通した円形のスタンド側孔部39が形成されている。そして、スタンド側孔部39とホルダー側孔部26とは略同じ大きさの孔であり、図１に示すように互いに一致して連通したホルダー側孔部26およびスタンド側孔部39に着脱可能な挿入体である挿入ピン41が挿入され、この挿入された挿入ピン41によりスタンド体31がホルダー体21に対して固定されている。
【００２４】
なお、農作業機本体２を使用して畦塗り作業をする際には、スタンド体31をホルダー体21から取り外す必要がある。
【００２５】
次に、上記農作業機本体２による畦塗り作業終了後、上記スタンド装置３のスタンド体31をホルダー体21に取り付ける場合について説明する。
【００２６】
スタンド体31を農作業機本体２側のホルダー体21に取り付ける際には、トラクタの後部の３点リンク部を作動させて農作業機本体２を所望位置まで持上げた状態で、ホルダー側係合凹部25とスタンド側係合ピン部37との係合によりホルダー側孔部26とスタンド側孔部39とを互いに一致させた後、この互いに一致したホルダー側孔部26およびスタンド側孔部39に対して挿入ピン41を側方から挿入すればよい。
【００２７】
すなわち、スタンド体31を農作業機本体２側のホルダー体21に取り付ける場合、トラクタの３点リンク部で農作業機本体２を所望位置まで持上げた状態で、スタンド体31の立上り杆部34の上端側をホルダー体21の内側に嵌入し、スタンド側係合ピン部37をホルダー側係合凹部25に上方から引っ掛けるようにしてホルダー側係合凹部25とスタンド側係合ピン部37とを互いに係合させると、図７に示すように、スタンド体31がその自重で左右方向のスタンド側係合ピン部37を中心として所定方向（図７では時計回り）に所定量回動する。
【００２８】
そして、このスタンド体31の回動により、スタンド側当接面部36がホルダー側当接面部24と面状に当接するとともにスタンド側孔部39がホルダー側孔部26と一致し、その後この互いに一致したホルダー側孔部26およびスタンド側孔部39に対して挿入ピン41を側方から貫通挿入して、スタンド体31をホルダー体21に対して固定する。
【００２９】
こうしてスタンド体31をホルダー体21に取り付けてから、トラクタの３点リンク部を作動させてスタンド付農作業機１を所望位置まで下げ、その後、スタンド付農作業機１とトラクタとの連結を解除する。
【００３０】
なお、スタンド体31をホルダー体21から取り外す際には、トラクタの後部の３点リンク部を作動させて農作業機本体２を所望位置まで持上げた状態で、挿入ピン41を互いに一致したホルダー側孔部26およびスタンド側孔部39から抜いた後、スタンド体31を持上げるようにしてホルダー側係合凹部25とスタンド側係合ピン部37との係合を解除すればよい。
【００３１】
このような上記スタンド装置３によれば、従来とは異なりホルダー側孔部26とスタンド側孔部39とを互いに一致させる孔合わせに手間取ることがなく、スタンド体31をホルダー体21に容易かつ適切に取り付けることができる。
【００３２】
なお、上記実施の形態では、ホルダー側係合部はホルダー側係合凹部25で、スタンド側係合部はスタンド側係合ピン部37であるとして説明したが、例えば図８ないし図１２に示すように、ホルダー側係合部を後板部23に設けられた矩形のホルダー側係合孔部25とし、かつスタンド側係合部を立上り杆部34の上側後面部に突出状に設けられた下向きフック状のスタンド側係合フック部37としても、同様の作用効果を奏し得る。
【００３３】
また、農作業機本体２は、畦塗り作業をするものには限定されず、例えば図示しないが、代掻き作業或いは耕耘作業をするもの等でもよい。
【図面の簡単な説明】
【００３４】
【図１】本発明の一実施の形態のスタンド装置を装着したスタンド付農作業機の側面図である。
【図２】同上スタンド装置のホルダー体の側面図である。
【図３】同上スタンド装置のホルダー体の下面図である。
【図４】同上スタンド装置のスタンド体の側面図である。
【図５】同上スタンド装置のスタンド体の部分上面図である。
【図６】同上スタンド装置のスタンド体の部分前面図である。
【図７】同上スタンド装置のスタンド体の取付け時の説明図である。
【図８】本発明の他の実施の形態のスタンド装置のホルダー体の側面図である。
【図９】同上スタンド装置のホルダー体の後面図である。
【図１０】同上スタンド装置のスタンド体の側面図である。
【図１１】同上スタンド装置のスタンド体の部分後面図である。
【図１２】同上スタンド装置のスタンド体の取付け時の説明図である。
【符号の説明】
【００３５】
２    農作業機本体
３    スタンド装置
21    ホルダー体
24    ホルダー側当接部であるホルダー側当接面部
25    ホルダー側係合部であるホルダー側係合凹部
26    ホルダー側孔部
31    スタンド体
36    スタンド側当接部であるスタンド側当接面部
37    スタンド側係合部であるスタンド側係合ピン部
39    スタンド側孔部
41    挿入体である挿入ピン
【図１】
2005176658.tif 000003
【図２】
2005176658.tif 000004
【図３】
2005176658.tif 000005
【図４】
2005176658.tif 000006
【図５】
2005176658.tif 000007
【図６】
2005176658.tif 000008
【図７】
2005176658.tif 000009
【図８】
2005176658.tif 000010
【図９】
2005176658.tif 000011
【図１０】
2005176658.tif 000012
【図１１】
2005176658.tif 000013
【図１２】
2005176658.tif 000014